(57)【要約】    【課題】簡単、低コストで、防犯、安全、みまもり等を行うことが可能になる携帯端末を利用したネットワークカメラシステムを提供する。    【解決手段】携帯に適したコンパクトな形状の筐体に、インターネット画像配信設定情報が記録されたメモリと該設定情報を処理するＣＰＵとを有する主制御装置と、画像データ無線配信用の携帯端末を主制御装置に接続するための携帯端末インターフェースと給電制御装置とを格納し、この筐体に主制御装置に接続するカメラ装置と、主制御装置に接続する無線ＬＡＮインターフェースを取り付ける。無線ＬＡＮインターフェースを通して１つ又は複数の外部の情報端末をインターネット網に接続でき、主制御装置の設定を無線ＬＡＮインターフェースを通して外部の情報端末で行うことができる。【選択図】  図１
2011035890.tif 000002
【特許請求の範囲】
【請求項１】
インターネット画像配信設定情報が記録されたメモリと該設定情報を処理するＣＰＵとを有する主制御装置と、
前記主制御装置によって制御されるカメラ装置と、
画像データ無線配信用の携帯端末を前記主制御装置に接続するための携帯端末インターフェースと、
前記主制御装置に接続する無線ＬＡＮインターフェースと、
システムを駆動するための電源を供給する給電制御装置と
を備えた携帯端末を利用したネットワークカメラシステムであって、前記無線ＬＡＮインターフェースを通して１つ又は複数の外部の情報端末をインターネット網に接続できるようにするとともに、前記主制御装置の設定を前記無線ＬＡＮインターフェースを通して外部の情報端末で行うことができるようにしたことを特徴とする携帯端末を利用したネットワークカメラシステム。
【請求項２】
携帯に適したコンパクトな形状の筺体に、前記カメラ装置と無線ＬＡＮインターフェースを取付け、該筺体に前記主制御装置と前記携帯端末インターフェースと前記給電制御装置を格納し、前記カメラ装置を有線ＬＡＮインターフェースを通じて前記主制御装置に接続したことを特徴とする請求項１に記載の携帯端末を利用したネットワークカメラシステム。
【請求項３】
前記給電制御装置は、家庭用又は商用ＡＣ電源、ＤＣ電源、ソーラー発電電源、風力発電電源の中の少なくとも１つの電源と接続する接続端子を有し、使用する電源の電圧を所定の電圧に調整して出力する構成を備えていることを特徴とする請求項１に記載の携帯端末を利用したネットワークカメラシステム。
【請求項４】
携帯に適したコンパクトな形状の第１の筺体に前記無線ＬＡＮインターフェースを取付け、該筺体に前記主制御装置と前記携帯端末インターフェースを格納してシステム親機とし、携帯に適したコンパクトな形状の第２の筺体に前記カメラ装置を取り付けてシステム子機とし、前記システム親機と子機にそれぞれ電力線搬送装置を設け、該電力線搬送装置を通じて前記システム親機と子機との間で通信を行うようにし、前記システム親機と子機にそれぞれに前記給電制御装置を設けたことを特徴とする請求項１に記載の携帯端末を利用したネットワークカメラシステム。
【請求項５】
携帯に適したコンパクトな形状の第１の筺体に前記無線ＬＡＮインターフェースを取付け、該筺体に前記主制御装置と前記携帯端末インターフェースを格納してシステム制御機とし、携帯に適したコンパクトな形状の第２の筺体に前記カメラ装置を取り付けてシステムカメラとし、前記システムカメラに無線ＬＡＮ子機インターフェースを設け、前記システム制御機と前記システムカメラとの間に１個又は複数個の無線ＬＡＮ中継インターフェースを配置し、該無線ＬＡＮ中継インターフェースを介して、前記システムカメラとシステム制御機との間で通信を行うようにし、前記システム制御機と前記システムカメラのそれぞれに前記給電制御装置を設けたたことを特徴とする請求項１に記載の携帯端末を利用したネットワークカメラシステム。
【請求項６】
前記携帯端末インターフェースが格納された筐体に、複数のキャリア用の通信端末処理部と信号電波強度判定ユニットを格納し、各通信端末処理部の入力側に対応する携帯端末を接続し、各通信端末処理部の出力側をそれぞれ信号電波強度判定ユニットに接続し、信号強度及び転送レートの高い携帯端末を選択し、該選択した携帯端末を画像配信用の携帯端末として使用するようにしたことを特徴とする請求項２乃至５のいずれかに記載の携帯端末を利用したネットワークカメラシステム。
【請求項７】
前記カメラ装置が取り付けられた筐体に、ＧＰＳ装置と加速度装置を格納し、該各装置を前記筐体に格納した有線ＬＡＮインターフェースを介して前記主制御装置に接続したことを特徴とする請求項２乃至５のいずれかに記載の携帯端末を利用したネットワークカメラシステム。
【請求項８】
前記カメラ装置が取り付けられた筐体に、一般電話機をＩＰ電話へ変換する電話変換処理部を格納し、該処理部をＬＡＮインターフェースを介して前記主制御装置に接続したことを特徴とする請求項２乃至５のいずれかに記載の携帯端末を利用したネットワークカメラシステム。
【請求項９】
前記カメラ装置が取り付けられた筐体に、ファクシミリをＩＰＦＡＸへ変換するＦＡＸ変換処理部を格納し、該処理部をＬＡＮインターフェースを介して前記主制御装置に接続したことを特徴とする請求項２乃至５のいずれかに記載の携帯端末を利用したネットワークカメラシステム。
【請求項１０】
前記カメラ装置が取り付けられた筐体にマイクロフォンとスピーカーを取り付け、該マイクロフォンとスピーカーをそれぞれ前記カメラ装置に接続し、インターネット網を通して閲覧者との会話ができるようにしたことを特徴とする請求項２乃至５のいずれかに記載の携帯端末を利用したネットワークカメラシステム。
【請求項１１】
前記カメラ装置が取り付けられた筐体にネットラジオ装置を取り付け、該ネットラジオ装置を前記主制御装置に接続したことを特徴とする請求項２乃至５のいずれかに記載の携帯端末を利用したネットワークカメラシステム。
【発明の詳細な説明】
【技術分野】
【０００１】
本発明は、防犯、安全、みまもり、エンターテイメント、情報収集、見える農業、病人へのお見舞い、単身赴任での家族の絆を深めるのに好適な移動携帯型ネットワークカメラシステムに関するものである。
【背景技術】
【０００２】
無線情報通信の発展や普及に伴い、各種用途のカメラで撮影した動画、静止画をインターネットを通じて、光、ＡＤＳＬ、携帯端末のデータカードを利用したＰＣや携帯端末等で閲覧するという技術が研究・開発されるようになってきた。現在、防犯用等として数多くのカメラが利用されている。
一般的な防犯カメラは、カメラ本体に同軸ケーブルならびに電源を接続しビデオサーバーという装置で画像を録画するシステムである。インターネットにより外部から閲覧を行いたい場合には、光、ＡＤＳＬの回線契約並びにプロバイター契約を行い、ビデオサーバーにインターネットのインタフェースを取り付け各種設定を行うことにより可能なシステムもある。近年ではネットワークを利用したネットワークカメラが主流を占めるようになってきた。ネットワークカメラを利用することにより遠方からの監視業務が行えるようになり、移動式遠隔監視カメラも提案されている。（例えば特許文献１参照）。
【先行技術文献】
【特許文献】
【０００３】
【特許文献１】特開２００９−１０５７９９号公報
【発明の概要】
【発明が解決しようとする課題】
【０００４】
まず、同軸ケーブルを使った防犯カメラではケーブル径が太くとり回しが大変であり、さらにケーブルの長さが長くなると映像品質確保のためにレピータ(信号増幅装置)を挿入しなければならない。ネットワークカメラを用いた監視カメラでは、ケーブル径こそ細く出来るが、ケーブル長の問題は同様である。一般的な防犯カメラは、ビデオサーバーに信号を送る同軸ケーブル及び電源取得のための電源が必須なため、ケーブルを敷設し、同一屋内の監視センターでビデオサーバーに録画するのが一般的であった。インターネットを通して映像を閲覧することも出来るが、専用の装置を用い、専門家によるソフトウェア設定を行わなければならず導入には膨大な導入費用と手間、また導入してからはメンテナンス費用が必要であった。さらに、電源取得のための電源ケーブルの敷設工事を行うことは両者とも必要になる。また、携帯端末において「テレビ電話」機能を有する端末が各社から販売されているが映像品質が劣悪で大体の輪郭がわかる程度で、防犯監視業務には使用できない。さらに課金方法が時間単位であるために長時間の使用には多大な費用が必要になる欠点がある。また、上記特許文献１に提案されている技術は、携帯端末データカードを利用する点においては類似するものであるが、無線ＬＡＮ内蔵の外部ＰＣでネットワークカメラ装置の操作設定、さらには、インターネット上の各ホームページの閲覧、メールの送受信等を行う点については何ら開示がない。また、各キャリアにおいて電波伝搬を加味した端末利用についてはなんら技術的な開示がなされていないものであった。各キャリアの携帯端末において認可周波数や変調方式により、設置する場所においてはもちろんのこと特に移動しながらの使用は通信スピードは絶えず変化している。最適な携帯端末を選択できなければ、通信スピードの低下、最悪圏外となり動画・静止画の配信が不可能になる。
そのほか、入院患者へのお見舞いや病院設備を考えた場合以下のような懸念要因がある。身内や友人が入院しているということは関係者にとって大変心配なことである。実際、入院している患者のお見舞いに行きたいにもかかわらず行くことの出来ない人は相当数いると思慮される。患者の入院先が遠方であったり、お見舞いする本人が高齢で外出もままならなかったりで、時には親兄弟でさえも顔を見ることが出来ず心配な毎日を送らざるを終えない。現在のところ電話による会話が唯一の手段であるが、公衆電話や携帯電話の使用できる場所まで患者本人が移動しなければならない場合が多く、患者の容態によっては体への負担が増大したり、公衆電話や携帯電話の使用できる場所まで移動さえ出来ないことも少なくない。関係者にとっても患者と連絡が取れないということは心配事が増える要因にもなっている。
また、患者を受け入れる医療現場においては、医療機器の誤動作の問題もあり一部の場所を除いては携帯端末が利用できないのが現状である。
さらに、携帯端末を利用したネットワークカメラシステムを地下や山影、ビルの谷間など電波が入らない場所では使用することが出来なかった。
本発明は上記問題点を解決することを目的とするものである。
【課題を解決するための手段】
【０００５】
上記目的を達成するため、本発明は、インターネット画像配信設定情報が記録されたメモリと該設定情報を処理するＣＰＵとを有する主制御装置と、
前記主制御装置によって制御されるカメラ装置と、
画像データ無線配信用の携帯端末を前記主制御装置に接続するための携帯端末インターフェースと、
前記主制御装置に接続する無線ＬＡＮインターフェースと、
システムを駆動するための電源を供給する給電制御装置と
を備えた携帯端末を利用したネットワークカメラシステムであって、前記無線ＬＡＮインターフェースを通して１つ又は複数の外部の情報端末をインターネット網に接続できるようにするとともに、前記主制御装置の設定を前記無線ＬＡＮインターフェースを通して外部の情報端末で行うことができるようにしたものである。
また本発明は、携帯に適したコンパクトな形状の筺体に、前記カメラ装置と無線ＬＡＮインターフェースを取付け、該筺体に前記主制御装置と前記携帯端末インターフェースと前記給電制御装置を格納し、前記カメラ装置を有線ＬＡＮインターフェースを通じて前記主制御装置に接続したものである。
また本発明は、前記給電制御装置は、家庭用又は商用ＡＣ電源、ＤＣ電源、ソーラー発電電源、風力発電電源の中の少なくとも１つの電源と接続する接続端子を有し、使用する電源の電圧を所定の電圧に調整して出力する構成を備えているものである。
また本発明は、携帯に適したコンパクトな形状の第１の筺体に前記無線ＬＡＮインターフェースを取付け、該筺体に前記主制御装置と前記携帯端末インターフェースを格納してシステム親機とし、携帯に適したコンパクトな形状の第２の筺体に前記カメラ装置を取り付けてシステム子機とし、前記システム親機と子機にそれぞれ電力線搬送装置を設け、該電力線搬送装置を通じて前記システム親機と子機との間で通信を行うようにし、前記システム親機と子機にそれぞれに前記給電制御装置を設けたものである。
また本発明は、携帯に適したコンパクトな形状の第１の筺体に前記無線ＬＡＮインターフェースを取付け、該筺体に前記主制御装置と前記携帯端末インターフェースを格納してシステム制御機とし、携帯に適したコンパクトな形状の第２の筺体に前記カメラ装置を取り付けてシステムカメラとし、前記システムカメラに無線ＬＡＮ子機インターフェースを設け、前記システム制御機と前記システムカメラとの間に１個又は複数個の無線ＬＡＮ中継インターフェースを配置し、該無線ＬＡＮ中継インターフェースを介して、前記システムカメラとシステム制御機との間で通信を行うようにし、前記システム制御機と前記システムカメラのそれぞれに前記給電制御装置を設けたものである。
また本発明は、前記携帯端末インターフェースが格納された筐体に、複数のキャリア用の通信端末処理部と信号電波強度判定ユニットを格納し、各通信端末処理部の入力側に対応する携帯端末を接続し、各通信端末処理部の出力側をそれぞれ信号電波強度判定ユニットに接続し、信号強度及び転送レートの高い携帯端末を選択し、該選択した携帯端末を画像配信用の携帯端末として使用するようにしたものである。
また本発明は、前記カメラ装置が取り付けられた筐体に、ＧＰＳ装置と加速度装置を格納し、該各装置を前記筐体に格納した有線ＬＡＮインターフェースを介して前記主制御装置に接続したものである。
また本発明は、前記カメラ装置が取り付けられた筐体に、一般電話機をＩＰ電話へ変換する電話変換処理部を格納し、該処理部をＬＡＮインターフェースを介して前記主制御装置に接続したものである。
また本発明は、前記カメラ装置が取り付けられた筐体に、ファクシミリをＩＰＦＡＸへ変換するＦＡＸ変換処理部を格納し、該処理部をＬＡＮインターフェースを介して前記主制御装置に接続したものである。
また本発明は、前記カメラ装置が取り付けられた筐体にマイクロフォンとスピーカーを取り付け、該マイクロフォンとスピーカーをそれぞれ前記カメラ装置に接続し、インターネット網を通して閲覧者との会話ができるようにしたものである。
また本発明は、前記カメラ装置が取り付けられた筐体にネットラジオ装置を取り付け、該ネットラジオ装置を前記主制御装置に接続したものである。
【発明の効果】
【０００６】
本発明は無線ＬＡＮ装置を内蔵しているので、これにより主制御装置の設定、カメラ装置の設定を無線ＬＡＮを使用することによりノートＰＣで行うことが出来る。さらに、ＰＣを無線ＬＡＮに接続することによりインターネット環境を手に入れることが出来る。これにより、Ｗｅｂサイトの閲覧やメール等を行うことが可能になる。もちろん有線接続によるＰＣにより同様のことを行うことが出来る。
また、本発明は、システム親・子機が電力線搬送装置を内蔵した構成とすることで、この電力線搬送装置を使用してシステム親機を携帯電話の使用可能な場所にあるＡＣコンセントを利用してシステムを稼動することができ、システム子機は病室のＡＣコンセントを利用することにより病室内で携帯端末の電波を使用することなく携帯端末を利用したネットワークカメラシステムの稼動が可能となる。また、病室に限らず電力線搬送装置の利用可能な場所であれば本システムの稼動が可能となる。
また、本発明はシステム制御機とカメラ装置間のデータ通信に一箇所若しくは複数の無線転送装置を使用した構成とすることで、携帯端末で利用可能な場所まで無線転送装置を用いるデータを転送することによりカメラ装置の動画及び静止画、音声をインターネット網への配信が可能になる。
【図面の簡単な説明】
【０００７】
【図１】本発明の実施形態による携帯端末を利用したネットワークカメラシステムのブロック図である。
【図２】携帯端末インターフェースのブロック図である。
【図３】主制御装置のブロック図である。
【図４】無線ＬＡＮ インターフェースのブロック図である。
【図５】有線ＬＡＮ インターフェースのブロック図である。
【図６】副制御装置のブロック図である。
【図７】電話、ＦＡＸ変換装置のブロック図である。
【図８】カメラ装置のブロック図である。
【図９】給電制御装置のブロック図である。
【図１０】筐体の正面説明図である。
【図１１】筐体の内部の断面説明図である。
【図１２】本発明の他の実施形態による携帯端末を利用したネットワークカメラシステムのブロック図である。
【図１３】筐体の正面説明図である。
【図１４】筐体の側面説明図である。
【図１５】ネットワークカメラシステムの説明図である。
【図１６】本発明の他の実施形態による携帯端末を利用したネットワークカメラシステムのブロック図である。
【図１７】ネットワークカメラシステムの説明図である。
【発明を実施するための形態】
【０００８】
以下に本発明の実施形態の概略について説明する。
電源を給電(コンセントに電源を挿す)された本システムは、下記に示す各処理を行った後、各種設定に従い、およそ５分後に動画若しくは静止画及び音声の配信を開始し、システムの稼動を始める。
ＰＣ閲覧者は、予め指定されたアドレスを閲覧ソフトに入力し、セキュリティーであるユーザー名とパスワードを入力することにより動画若しくは静止画の閲覧が可能である。
携帯の閲覧者は、同様に操作を行い静止画の閲覧が可能となる。
また閲覧者は、閲覧ソフト上で
1. 上下、左右(パン、チルト)にカメラ２２を移動させることが可能
2. カメラ２２に搭載された、マイクロフォン２４、スピーカー２５を用いて通話が可能
3. カメラ２２をズームすることが可能である。
【０００９】
本発明の実施形態の全体の流れについて以下に説明する。
携帯端末インターフェース８により各携帯端末会社（キャリア）の電波を受信し信号電波強度判定ユニット４３により最も転送スピードの早い携帯端末３１〜３６及び、処理部３７〜４２を判定し選択し、通信制御インターフェース４４にデータを送る。データを受信した主制御装置９は、通信制御インターフェース５１でデータを受信し、ＤＨＣＰサーバ設定部５４、ポート開放設定部５５、ＤＭＺホスト設定部５６、ダイナミックDNS設定部５７、ＬＡＮ設定部５８であらかじめ設定された設定情報に従って通信制御インターフェース５１並びに通信インターフェース５９にデータを送る。
【００１０】
設定に従い、無線ＬＡＮインターフェース１２で通信周波数の設定や暗号方法の設定を行い、通信準備を行う。有線ＬＡＮインターフェース１３では主制御装置９の設定に従い、副制御装置２０、電話、ＦＡＸ変換装置２１、カメラ装置２２、ネットラジオ装置２３のデータスイッチングを行う。副制御装置２０は、ＧＰＳユニット１６、加速度ユニット１７、温度・湿度計ユニット１８、気圧計ユニット１９からのデータを受信し特定のアドレスに送信する作業を行う。電話、ＦＡＸ変換装置２１は接続された、電話、ＦＡＸをＩＰ電話に変換し、インターネット網４と通信を行う。カメラ装置２２は各種設定に従い、動画、静止画をインターネット網４を介して、特定のアドレスに配信を行う。ネットラジオ装置２３は、設定に従いインターネット網４を介してネットラジオの配信を行う。
また、給電制御装置１０は入力された電圧や発電手段に対し、より効率的な配電や充電を行う。
【００１１】
次に本発明の実施形態を添付した図面を参照して詳細に説明する。
図１は本システムの全体構成を示している。本発明の携帯端末を利用したネットワークカメラシステムは、携帯に適したコンパクトな形状の筐体１に、撮影部が外部に露出して取り付けられたネットワークカメラ装置２２と、筐体１内に設置された携帯端末インターフェース８、主制御装置９、給電制御装置１０、無線ＬＡＮ(Local Area Network)インターフェース１２、有線ＬＡＮインターフェース１３、ＧＰＳ(Global Positioning System)ユニット１６，加速度ユニット１７、温度・湿度計ユニット１８、気圧計ユニット１９、副制御装置２０、電話・ＦＡＸ(Facsimile)変換装置２１、カメラ装置２２、ネットラジオ装置２３、マイクロフォン２４、スピーカー２５とを具備し、これらは、システムバスを介し、図示の如く結線されている。
【００１２】
前記筐体１には、該筐体１内部のネットワークカメラを構成する各装置を冷却するためのファン１３２が内蔵され、筐体１内の熱気は筐体１に設けられた通気口１３１から外部に排出されるように構成されている。通気口１３１は、気体を通すが液体を通さないゴアテックス材からなる通気性防水材により構成され、しかも筐体１の接合部はシール材（図示省略）により密閉され、全体が防水構造となっている。筐体１には図１０に示すように取り付け及び防護用フック１３０が取り付けられている。前記ネットワークカメラ装置２２によって撮影された、動画、静止画は、音声とともに、インターネット網４を通して本システムのユーザーの情報端末に配信される。
【００１３】
前記筐体１に格納された携帯端末インターフェース８は、図２に示すように、複数の通信端末処理部３７，３８，３９，４０，４１，４２を備えている。各通信端末処理部３７，３８，３９，４０は、既存のキャリアのデータ端末に対応した処理部を構成している。通信端末３１は、イーモバイル（登録商標）、通信端末３２は、ドコモ（登録商標）、通信端末３３は、ＡＵ（登録商標）、通信端末３４は、ウイルコム（登録商標）、通信端末３５は、ＵＱコミュニケーション（登録商標）、通信端末３６は、ソフトバンク（登録商標）の通信端末を示し、これらはそれぞれ、対応する通信端末処理部３７〜４２に接続している。
【００１４】
各処理部３７〜４２は、信号電波強度判定ユニット４３に接続し、該ユニット４３は、複数の通信端末３１〜３６の中から、信号強度及び転送レートの高い通信端末を選択する。該選択された通信端末は、通信制御インターフェース４４とデータのやりとりを始めるように構成されている。主制御装置９は、携帯端末インターフェース８からデータを通信制御インターフェース５１を通して受信し、ＭＭ（メモリーモジュール）５３に記録されている、ＤＨＣＰサーバ設定部５４、ポート開放設定部５５、ＤＭＺホスト設定部５６、ダイナミックＤＮＳ設定部５７、ＬＡＮ設定部５８の各設定部の設定情報をＣＰＵ５２で処理し、通信インターフェース５９にデータを送るように構成されている。
主制御装置９のＭＭ５３には、インターネット接続及び画像配信に必要な各種設定を外部情報端末により行うための設定用プログラムが格納され、主制御装置９の各種の設定は、無線ＬＡＮインターフェース１２、有線ＬＡＮインターフェース１３を通して、外部情報端末であるノートＰＣ１１、ノートＰＣ１５を用いて行うことができるように構成されている。
【００１５】
給電制御装置１０は、図９に示すように、接続端子１１１に商用ＡＣ１００Ｖ電源、接続端子１１２にＤＣ１２Ｖのバッテリー電源、接続端子１１３にソーラー電池、接続端子１１４に風力発電機のケーブルがそれぞれ接続される。電圧並びに交直流調整ユニット１１５で交流が直流に変換されるとともに電圧が調整される。また、各電圧調整ユニット１１６、１１７、１１８で、出力電圧の調整が行われ、逆流防止ユニット１１９、１２０、１２１、１２２を通して、各ユニット１１５、１１６、１１７、１１８の出力が電圧入力調整ユニット１２３に入力されるように構成されている。電圧入力調整ユニット１２３は、最適な電源を選択し、充電用のバッテリー１２４と電圧調整ユニット１２５、１２６へ給電を行う。
【００１６】
電圧調整ユニット１２５、１２６の出力電圧は、接続端子１２７、１２８を通して、システムの各装置に電源として供給される。無線ＬＡＮインターフェース１２は、図４に示すように、無線ＬＡＮ対応のノートＰＣ（パソコン）１１から通信要求を受信し、ＩＥＥＥ８０２・１１・a・b・g用送受信装置６２、ＩＥＥＥ８０２・１１・n用送受信装置６３、（ＷＥＰ６４/１２８）暗号化装置６４、（ＷＰＡ−ＰＳＫ）暗号化装置６５、（ＷＰＡ２ーＰＳＫ）暗号化装置６６の各設定情報を確認し、認証が取れれば、通信を開始する。尚、ノートＰＣ１１は、主制御装置９、携帯端末インターフェース８、携帯端末基地局３若しくは、筺体に取り付けられた光、ＡＤＳＬ対応の有線用モデム７を通して、インターネット網４とも接続可能となる。
【００１７】
有線ＬＡＮインターフェース１３は、有線ＬＡＮ対応のノートＰＣ１５から通信要求を受信し、通信を開始する。
ノートＰＣ１５は、図５に示すように、通信インターフェース７１を通し、且つ、制御装置９、携帯端末インターフェース８、携帯端末基地局３若しくは、有線用モデム７を通して、インターネット網４とも接続可能となる。有線ＬＡＮインターフェース１３は、更に、スイッチングハブ１２を内蔵し、該ハブ１２を介して、副制御装置２０、電話・ＦＡＸ変換装置２１、ネットワークカメラ装置２２、ネットラジオ装置２３とＬＡＮ接続している。
【００１８】
副制御装置２０は、図６に示すように、ＧＰＳユニット１６、加速度を検出し、加速度信号を出力する加速度ユニット１７、湿度、湿度を計測し計測した信号を出力する湿度、湿度計ユニット１８、気圧を計測し、計測した信号を出力する気圧計ユニット１９の各ユニットからのデータを、通信インターフェース８５、８６、８７、８８を通して、ＭＭ（メモリーモジュール）８３に設定された設定情報により、ＣＰＵ８２で処理し、この処理情報を 、記憶装置８４に蓄積しながら、ＬＡＮインターフェース８１にデータを送り、予め設定されたアドレスに対して、主制御装置９、携帯端末インターフェース８、携帯端末基地局３若しくは、有線用モデム７を通して、インターネット網４とも接続し、データの通信を行う。
【００１９】
電話、ＦＡＸ変換装置２１は、図７に示すように、ＣＰＵ９２、ＭＭ９３、記憶装置９４、電話変換処理部９５、ＦＡＸ変換処理部９６、ＬＡＮインターフェース９１とから成り、これらは、データバスを介して接続している。一般電話機のクローゼット端子より、電話変換処理部９５へ接続された電話機は、ＭＭ９３及び記憶装置９４で予め設定された設定データにより、ＣＰＵ９２で処理されてＩＰ電話へ変換される。
【００２０】
電話機のデータは、ＬＡＮインターフェース９１に送られ、電話機は、指定されたＩＰ電話会社のネットワーク回線（インターネット網４）へ、主制御装置９、携帯端末インターフェース８、携帯端末基地局３若しくは有線用モデム７を通して接続し、データの通信を行う。また、ＦＡＸ装置もＦＡＸ変換処理部９６を用い、上記と同様に処理を行う。
【００２１】
カメラ装置２２は、図８に示すように、撮影情報を出力するカメラ１０２、ＬＡＮインターフェース１０１、ＣＰＵ１０３、ＭＭ１０４，外部メモリー１０５、ダイナミックＤＮＳ処理部１０６、パン・チルト・ズーム設定部１０７、動体検知設定部１０８、オーディオインターフェース１０９とから構成され、これらは、データバスを介して、図示の結く接続している。オーディオインターフェース１０９には、マイクロフォン２４とスピーカ２５が接続している。カメラ１０２で撮影された動画、静止画は、ダイナミックＤＮＳ処理部１０６、パン・チルト・ズーム設定部１０７の設定情報及びＭＭ１０４で予め設定された設定情報を元に処理される。設定情報によっては、外部メモリ１０５での記録も開始される。また、動体検知設置部１０８において、静止画の画面の差分で、閲覧中の閲覧ソフトに警告や、予め設定されたメールアドレスへのメール配信も可能である。また、オーディオインターフェース１０９を利用することにより、閲覧者への送話及び閲覧者からの受話を行うことも可能である。
【００２２】
これらの設定は、ＭＭ１０４に格納された設定用プログラムにより、無線ＬＡＮインターフェース１２又は有線ＬＡＮインターフェース１３を通して、外部情報端末であるノートＰＣ１１、ノートＰＣ１５を用いて行われる。動画若しくは、静止画の配信は、携帯端末２、デスクトップＰＣ５、ノートＰＣ６、ノートＰＣ１１、ノートＰＣ１５で可能である。これらの配信データは、ＬＡＮインターフェース１０１に送られ、この配信データは、予めの設定されたアドレスに対して、有線ＬＡＮインターフェース１３、携帯端末インターフェース８、携帯端末基地局３を介して、インターネット網４を通して、接続し、データが配信される。また、本システムは、有線用モデム７を通してインターネット網４とも接続し、この経路を介して、データの配信を行う。
【００２３】
ネットラジオ装置２３は、ノートＰＣ１１若しくはノートＰＣ１５から、割り振られたアドレスに対して、インターネット閲覧ソフトを利用して装置２３内に接続し、音量調整、音質調整、消音（ミュート）、接続先選局（Ｐ）、ＤＨＣＰ使用時のＩＰ確認、リセットを行うことができる。またスピーカ２５により出力が可能となっている。ネットラジオ装置２３は、設定情報に従い、有線ＬＡＮインターフェース１３、主制御装置９、携帯端末インターフェース８、携帯端末基地局３若しくは、有線用モデム７を通して、インターネット網４と接続し、データの通信を行う。
【００２４】
上記実施形態の特徴は以下の通りである。
ネットワークカメラシステムは、筐体１、及び筐体１の一端に取り付けられたネットワークカメラ装置２２と、筐体１内に設置された、携帯端末インターフェース８、主制御装置２０、無線ＬＡＮ インターフェース１２、有線ＬＡＮ インターフェース１３、ＧＰＳ装置１６、加速度装置１７、温度・湿度装置１８、気圧計装置１９、電話、ＦＡＸ変換装置２１、ネットラジオ装置２３、給電制御装置１０を具備し、前記のネットワークカメラ２２によって撮影された動画、静止画、音声をインターネット網４を通して配信することを第一の特徴とする。
【００２５】
第二に、前述の通信方法として有線、無線の切り替えが可能な携帯端末 インターフェース８及び主制御装置９を具備し、信号強度判定ユニット４３により信号強度の強いキャリアを選択することが可能である。
キャリアにおいては、イーモバイル（登録商標）、ドコモ（登録商標）、ａｕ（登録商標）、ソフトバンク（登録商標）、willcom（登録商標）、UQコミュニケーション（登録商標）に対応していることを第二の特徴とする。
第三に、無線ＬＡＮ装置（インターフェース）１３を内蔵している。これにより主制御装置９の設定、カメラ装置２２の設定を無線ＬＡＮインターフェース１３を使用することによりノートＰＣで行うことが出来る。
また、カメラ装置２２の設定はインターネット網４を通したＰＣ５，６からも管理者権限を持ったユーザーにより行うことが出来る。
【００２６】
さらに、無線ＬＡＮインターフェース１３に接続することによりＷｅｂサイトの閲覧やメール等を行うことが出来る。
もちろん有線接続によるＰＣ１５により同様のことを行うことが出来る。
観光バスや別荘、工事現場に設置することによりインターネット環境の構築が簡単に行える。
以上を第三の特徴とする。
第四に内蔵された、ＧＰＳ装置１６と加速度装置１７を組み合わせることにより、運行状況の把握や、万が一事故時の検証等に使用可能、また、交通情報の把握等を映像とともに行える。
以上を第四の特徴とする。
【００２７】
第五に内蔵された、電話ＦＡＸ変換装置２１を使用することにより電話の利用が可能になる。
以上を第五の特徴とする。
第六に内蔵されたマルチ電源対応の給電制御装置１０を具備する。
基本は、商用ＡＣ１００Ｖを使用するが、昨今のエコロジーを鑑み、システム全体を単一電圧に統一することにより、バッテリー１１２、ソーラー１１３、風力発電１１４等のハイブリッド電源で給電可能となる。
また、各充電手段を統括するために「給電制御装置１０」を用い、効率の良い給電が可能になる。
【００２８】
以上を第六の特徴とする
第七に筐体に、マイクロフォン２４及びスピーカー２５を内蔵し、本装置の閲覧者のＰＣと会話を行うことが可能である。また、内蔵スピーカー２５は、ネットラジオ装置２３用のスピーカーとしても使用可能である。これにより一方通行でありがちな監視カメラを、介護の見守りシーン等で「声がけ」を行うことが可能である。
以上を第七の特徴とする。
第八に筐体１内に温度計、湿度計１８、気圧計１９を内蔵することによりデータの蓄積及びインターネット網４によりデータの配信を行うことが可能である。これにより本装置を設置した場所において簡易天気ステーションを稼動することが可能になる。
以上を第八の特徴とする。
【００２９】
第九に筐体１内のネットラジオ２３を内蔵することにより、世界各国のネットラジオを聴くことが可能になる。これによりラジオ等の難聴地域の解消等に役立つのはもちろん世界各国のニュースや音楽を簡単に聞くことが可能になる。
以上を第九の特徴とする。
第十に筐体１内の有線、無線ＬＡＮ インターフェース１３，１２を利用することにより複数のネットワークカメラのカメラの制御が可能になる。これにより今まで台数分必要であったカメラシステムが本システムを用いることにより一台ですむことになり、より安価にカメラの設置を行うことが可能になる。
以上を第十の特徴とする。
【００３０】
第十一に、本システムは防水及び熱対策を行っている。具体的にはＪＩＳ  Ｃ  ０９２０準拠ＩＰＸ４相当防まつ型に対応している。また、筐体１にゴアテックスを利用した通気口１３１を装備し水の浸入を抑えている。また、熱対策ファン１３２により筐体１内の温度管理を行っている。本装置を野外に設置した場合、防水と熱の問題は相反するものであったが、通気口と熱対策ファンを取り付けることにより温度上昇も無くシステムをダウンすることなく稼動させている。
以上を第十一の特徴とする。
第十二に本システムの取り扱いについて、本システムの使い方は簡単である。本システム側は電源を挿すだけでインターネット網４に接続を行い動画、静止画の配信を始めることが出来る。閲覧者はインターネット環境若しくは、ホットスポットエリア内において決められたアドレスを入力し、ユーザー名とパスワードを入力さえ行えば閲覧が可能である。これにより今まで煩雑であったネットワークカメラを誰でも簡単に利用することが可能になった。
【００３１】
また、本発明は次の通りの利用分野がある。
１.防犯監視
コンセントに繋ぐだけなので、配線工事やインフラ整備が必要なく、防犯対象の場所に対してすばやく監視を始めることができる。
２.みまもり
犯罪発生場所に暫定的に設置も可能、移動も簡単なので必要な場所に、必要なときに、子供の見守り、お年寄りの見守り等にもすばやく対応が可能である。
【００３２】
３.工事現場の監視
住宅建設時、コンセントを繋ぐだけで簡単設置、施主は自分の住宅が出来る過程をいつでも閲覧することが出来る。また、親方、設計会社は進捗の管理、指示も行うことが可能。さらに最近増えている材料や道具の盗難防止に役立つ。
４.長距離バス
長距離バスには、新幹線が莫大な費用をかけてサービスインした無線ＬＡＮシステムを低コストで手軽にサービス始めることができる。また、ネットワークカメラとＧＰＳを組み合わせることにより車両管理、道路渋滞等の情報を活用することができる。さらに、加速度センサーを組み合わせることにより万一事故時の状況の把握が可能になる。
【００３３】
５.観光バス
観光バスには、これから向かうであろう観光地の情報を無線ＬＡＮ対応の本システムによりインターネットの閲覧が可能になる。また、車内の様子や車窓を参加できなかった留守宅の家族に閲覧してもらうことが出来る。
６.リアルタイムライブ放映
ライブ会場に持込めば、ライブのリアルタイム放映を手軽に行うことができる。また、ストリートミュージシャン等の路上ライブも携帯用バッテリーを用いることにより簡単に放映することが可能である。
【００３４】
７.報道用
本システムを携帯することにより、事件事故をリアルタイムに報道することが可能である。今まで必要であった中継システムが不要になり装備コストの大幅な削減が可能である。
８.ビジネス用車両に搭載
タクシー、宅急便（登録商標）、路線バス、長距離トラック等に搭載することにより、今まで定点でしかなかった映像をより広範囲に取得することが出来る。また、ＧＰＳと組み合わせることにより渋滞情報の配信等を行うことが出来る。
【００３５】
９.別荘等のインフラの確保
不定期に利用する別荘等にほとんど使わない電話をつけているオーナーは多いが、イーターネットまでは引かない例が数多く見受けられる。本装置を用いればリーズナブルな価格で、防犯(ネットワークカメラによる監視)、電話、インターネットのインフラの構築を行うことが出来る。
１０.放映されないスポーツ
世の中には多くのスポーツが存在しているがテレビ放映されるのはごく一部に限られる。本装置を用いれば手軽に、低コストで配信を行うことが出来る。これにより選手の親族や会場に足を運ぶことが出来なかったファンなどが手軽にスポーツ配信を楽しむことが出来る。また、ID、パスワードを設定することにより有料配信も可能である。
【００３６】
１１.工事の進捗状況
工事事務所を開設する場合、通信環境を整えようとすると煩雑な手続きが必要であった。本装置を用いることにより工事現場の様子を監視することにもちろん、インターネット網の構築、さらには電話、ＦＡＸの設置を簡単に行なうことが可能になる。
１２.飛行機の離発着
本装置を用いることにより飛行機の離発着を簡便に配信することが可能になる。
【００３７】
１３.スクールバス
本装置を用いることにより、スクールバスの車内の様子を映像と音声で見守ることが可能になる。また、ＧＰＳ、加速度ユニットを用い、複数のカメラを用いることにより車両の場所及び走行の様子等も閲覧することが可能になり、送迎の安全をより高めることが可能になる。
１４.白バイ、パトカー、NEXCO
白バイ、パトカー、NEXCO等で本装置を用いることにより安価、簡単に業務の遂行が可能になる。例えば事故等の処理を行なう場合、バッテリー内蔵タイプの本装置を用いれば現場で電源を入れるだけで事故処理の様子を本部から閲覧することが可能になる。
【００３８】
１５.移動型お天気カメラ
本装置には温度計、湿度計、気圧計内蔵タイプもラインナップされているので、カメラと連動して移動式お天気カメラの運用が可能になる。
１６.選挙
通常街頭演説を行なう場合、候補者はその場の聴衆にしか演説できないが、本装置を用いるて配信を行い、これを大型モニターで閲覧することにより複数の場所でのライブ中継演説が可能になる。また、この様子は選挙対策本部でも閲覧可能になり効率的な選挙支援が可能となる。
１７.農業の作業
本装置を用いることにより、田植え等の様子を学校での授業に利用することが可能。さらに配信はリアルタイムなので生徒からの質問にも会話機能によりすぐさま答えることが可能になる。また、苗木の販売を消費者に行なった場合、消費者が自分の苗木の様子を収穫まで閲覧することが可能となる。
【００３９】
次に、本発明の他の実施形態を図１２乃至図１５を参照して説明する。
本実施形態は、システム親・子機が電力線搬送装置を内蔵している。この電力線搬送装置を使用してシステム親機は携帯電話の使用可能な場所にあるＡＣコンセントを利用してシステムを稼動する。システム子機は病室のＡＣコンセントを利用することにより病室内で携帯端末の電波を使用することなく携帯端末を利用したネットワークカメラシステムの稼動が可能となる。また、病室に限らず電力線搬送装置の利用可能な場所であれば本システムの稼動が可能となる。本実施形態では、これらの動作を電源を入れることだけで行なうことが可能である。
【００４０】
本システム図１２に示すように、システム親機１３３とシステム子機１３７とから構成されている。システム親機１３３は、携帯端末インターフェース８と、主制御装置９と、無線ＬＡＮインターフェース１２と、有線ＬＡＮインターフェース１３Ａと、電力線搬送装置１３８と、給電制御装置（図示省略）から構成され、これらは、携帯に適したコンパクトな形状の筺体１３４に格納され、システムバスを介し、図示の如く結線されている。システム子機１３７は、ネットワークカメラ装置２２と、有線ＬＡＮインターフェース１３Ｂと、電力線搬送装置１４０と、マイクロフォン２４と、スピーカ２５と、給電制御装置（図示省略）から構成され、これらは図示の如く結線されている。上記の有線ＬＡＮインターフェース１３Ｂ、電力線搬送装置１４０、マイクロフォン２４、スピーカ２５は、携帯に適したコンパクトな形状の筺体１３６に格納され、ネットワークカメラ装置２２は、撮影部が外部に露出して筺体１３６に取り付けられている。
【００４１】
前記電力線搬送装置１３８，１４０ には、筺体１３４，１３６の外部に配置された、ＡＣ電源コンセント１４２，１４４用のプラグ１４６，１４８がそれぞれ適宜な長さのコードを介して、対応する電力線搬送装置１３８，１４０に接続している。前記給電制御装置は、プラグ１４６，１４８にコードを介して接続し、ＡＣ電源コンセント１４２，１４４からの電源の電圧を所定の電圧に調整してシステムの各装置に出力する構成を備えている。本システムを構成する上記携帯端末インターフェース８、主制御装置９、無線ＬＡＮインターフェース１２、カメラ装置２２、マイクロフォン２４、スピーカ２５の各装置は、これらの各装置の符号と同一の符号が付された図１に示す本発明の第１の実施形態の携帯端末インターフェース８、主制御装置９、無線ＬＡＮインターフェース１２、カメラ装置２２、マイクロフォン２４、スピーカ２５と機能としては同一の構成となっている。電力線搬送装置１３８，１４０を介して接続する有線ＬＡＮインターフェース１３Ａ，１３Ｂは、第１の実施形態の有線ＬＡＮインターフェース１３と同一の構成となっている。
【００４２】
電力線搬送装置１３８，１４０は、プラグ１４６，１４８を、ＡＣ１００Ｖ電源コンセント１４２，１４８に繋ぐことで、システム親機１３３のカメラ装置２２とシステム子機１３７の主制御装置９とを電力線を介して中継する中継器として機能する。またシステム親機１３３とシステム子機１３７は、ＡＣ電源コンセント１４２，１４８に電源用プラグ１４６，１４８を差し込むことで、電源が供給されるように構成されている。
【００４３】
各筺体１３４，１３６には、筺体１３４，１３６内部の各装置を冷却するためのファン１３２（筺体１３４内のファンは図示省略）が内蔵され、筺体１３４，１３６内の熱気は、筺体１３４，１３６に設けられた通気口１３１（筺体１３４の通気口は図示省略）から外部に排出されるように構成されている。
通気口１３１は、気体を通すが液体を通さないゴアテックス材からなる通気性防水材により構成され、しかも筐体１の接合部はシール材（図示省略）により密閉され、全体が防水構造となっている。筐体１３４，１３６には図１３に示すように取り付け及び防護用フック１３０が取り付けられている。前記ネットワークカメラ装置２２によって撮影された、動画、静止画は、音声とともに、インターネット網４を通して本システムのユーザーの情報端末に配信される。
【００４４】
前記筐体１３４に格納された携帯端末インターフェース８は、図２において説明したように、複数の通信端末処理部３１，３２，３３，３４，３５，３６を備えている。各通信端末処理部３１，３２，３３，３４，３５，３６は、既存のキャリアのデータ端末に対応した処理部を構成している。通信端末３１は、イーモバイル（登録商標）、通信端末３２は、ドコモ（登録商標）、通信端末３３は、ＡＵ（登録商標）、通信端末３４は、ウイルコム（登録商標）、通信端末３５は、ＵＱコミュニケーション（登録商標）、通信端末３６は、ソフトバンク（登録商標）の通信端末を示し、これらはそれぞれ、対応する通信端末処理部３７〜４２に接続している。
【００４５】
各処理部３７〜４２は、信号強度判定ユニット４３に接続し、該ユニット４３は、複数の通信端末３１〜３６の中から、信号強度及び転送レートの高い通信端末を選択する。該選択された通信端末は、通信制御インターフェース４４とデータのやりとりを始めるように構成されている。主制御装置９は、携帯端末インターフェース８からデータを通信制御インターフェース４４を通して受信し、図３に示す、ＭＭ（メモリーモジュール）５３に記録されている、ＤＨＣＰサーバ設定部５４、ポート開放設定部５５、ＤＭＺホスト設定部５６、ダイナミックＤＮＳ設定部５７，ＬＡＮ設定部５８の各設定部の設定情報をＣＰＵ５２で処理し、通信インターフェース５９にデータを送るように構成されている。
【００４６】
主制御装置９のＭＭ５３には、インターネット接続及び画像配信に必要な各種設定を外部情報端末により行うための設定用プログラムが格納され、主制御装置９の各種の設定は、無線ＬＡＮインターフェース１２、有線ＬＡＮインターフェース１３Ａ，１３Ｂを通して、外部情報端末であるノートＰＣ１１を用いて行うことができるように構成されている。子機１３７の有線ＬＡＮインターフェース１３Ｂは、有線ＬＡＮ対応のノートＰＣ１５から通信要求を受信し、通信を開始する。
ノートＰＣ１１は、図４に示すように、通信インターフェース６１を通し、且つ、制御装置９、携帯端末インターフェース８、携帯端末基地局３を通して、インターネット網４とも接続可能となる。
【００４７】
カメラ装置２２は、図８に示すように、撮影情報を出力するカメラ１０２、ＬＡＮインターフェース１０１、ＣＰＵ１０３、ＭＭ１０４，外部メモリー１０５、ダイナミックＤＮＳ処理部１０６、パン・チルト・ズーム設定部１０７、動体検知設定部１０８、オーディオインターフェース１０９とから構成され、これらは、データバスを介して、図示の結く接続している。オーディオインターフェース１０９には、マイクロフォン２４とスピーカ２５が接続している。カメラ１０２で撮影された動画、静止画は、ダイナミックＤＮＳ処理部１０６、パン・チルト・ズーム設定部１０７の設定情報及びＭＭ１０４で予め設定された設定情報を元に処理される。設定情報によっては、外部メモリ１０５での記録も開始される。また、動体検知設置部１０８において、静止画の画面の差分で、閲覧中の閲覧ソフトに警告や、予め設定されたメールアドレスへのメール配信も可能である。また、オーディオインターフェース１０９を利用することにより、閲覧者への送話及び閲覧者からの受話を行うことも可能である。
【００４８】
これらの設定は、ＭＭ１０４に格納された設定用プログラムにより、無線ＬＡＮインターフェース１２又は有線ＬＡＮインターフェース１３Ａ，１３Ｂを通して、外部情報端末であるノートＰＣを用いて行われる。動画若しくは、静止画の配信は、携帯端末２、デスクトップＰＣ５、ノートＰＣ６、ノートＰＣ１５で可能である。これらの配信データは、図８に示すように、ＬＡＮインターフェース１０１に送られ、この配信データは、予めの設定されたアドレスに対して、有線ＬＡＮインターフェース１３Ａ，１３Ｂ、携帯端末インターフェース８、携帯端末基地局３を介して、インターネット網４を通して、接続し、データが配信される。
【００４９】
本システムは、筐体１３６の一端に取り付けられたネットワークカメラ装置２２と有線ＬＡＮインターフェース１３Ｂ、電力線搬送装置１４０、筐体１３４内に設置された、携帯端末インターフェース８、主制御装置９、無線ＬＡＮ インターフェース１２、有線ＬＡＮ インターフェース１３Ａ、電力線搬送装置１３８を具備し、電力線搬送装置１３８，１４０を使用しシステム親機・子機間の通信を可能にして前記のネットワークカメラ２２によって撮影された動画、静止画、音声をインターネット網４を通して配信することを特徴とする。
【００５０】
電源を給電(コンセントに電源を挿す)された本システムは、下記に示す各処理を行った後、各種設定に従い、およそ５分後に動画若しくは静止画及び音声の配信を開始し、システムの稼動を始める。
ＰＣ閲覧者は、予め指定されたアドレスを閲覧ソフトに入力し、セキュリティーであるユーザー名とパスワードを入力することにより動画若しくは静止画の閲覧が可能である。
携帯の閲覧者は、同様に操作を行い静止画の閲覧が可能となる。
また、閲覧者は、閲覧ソフト上で、上記第１の実施形態と同様に、
1. 上下、左右(パン、チルト)にカメラ１９を移動させることが可能
2. カメラ１９に搭載された、マイクロフォン２０、スピーカー２１を用いて通話が可能
3. カメラ１９をズームすることが可能である。
【００５１】
本実施形態では、携帯端末インターフェース８により各携帯端末会社（キャリア）の電波を受信し信号強度判定ユニット４３により最も転送スピードの早い携帯端末３１〜３６及び、処理部３７〜４２を判定し選択し、通信制御インターフェース４４にデータを送る。データを受信した主制御装置９は、通信制御インターフェース５１でデータを受信し、ＤＨＣＰサーバ設定部５４、ポート開放設定部５５、ＤＭＺホスト設定部５６、ダイナミックDNS設定部５７、ＬＡＮ設定部５８であらかじめ設定された設定情報に従って通信制御インターフェース５１並びに通信インターフェース５９にデータを送る。
【００５２】
設定に従い、無線ＬＡＮ  インターフェース１０で通信周波数の設定や暗号方法の設定を行い、通信準備を行う。有線ＬＡＮ  インターフェース１３では主制御装置９の設定に従い、電力線搬送装置１２のアドレスを決定、さらにＡＣ１００Ｖコンセント１３、１４を用いて電力搬送装置１８との通信を行い有線ＬＡＮ  インターフェース１７へ接続する。カメラ装置１９は各種設定に従い、動画、静止画をインターネット網４を介して、特定のアドレスに配信を行う。
次に本発明の他の実施形態を図１６乃至図１７を参照して説明する。
【００５３】
本実施形態は、システム制御機とカメラ装置間のデータ通信に一箇所若しくは複数の無線転送装置を使用している。携帯端末で利用可能な場所まで無線転送装置を用いてデータを転送することによりカメラ装置の動画及び静止画、音声をインターネット網へ配信が可能になる。本実施形態は、これらの動作をＡＣ電源コンセント１６８，１７０，１７２に電源プラグ１７４，１７６，１７８を差し込み電源を入れることだけで行なうことが可能である。電源プラグ１７４，１７６，１７８はシステム制御機、カメラ装置、無線転送装置に設けられた給電制御装置（図示省略）に接続している。
本システムは、図１６に示すようにシステム制御機１５４と、１個又は複数個の無線転送装置１５６と、システムカメラ１５８とから構成されそれぞれ給電制御装置（図示省略）を備えている。システム制御機１５４は、携帯端末インターフェース８と、主制御装置９と、無線ＬＡＮインターフェース１２とから構成され、これらは、携帯に適したコンパクトな形状の筺体１５０に格納され、システムバスを介して図示の如く結線されている。
【００５４】
システムカメラ１５８は、無線ＬＡＮ子機インターフェース１６２と、ネットワークカメラ装置２２と、マイクロフォン２４と、スピーカー２５とから構成され、これらは図示の如く結線されている。上記の無線ＬＡＮ子機インターフェース１６２と、マイクロフォン２４とスピーカー２５は、携帯に適したコンパクトな形状の筺体１５２に格納され、ネットワークカメラ装置２２は撮影部が外部に露出して筺体１５２に取り付けられている。無線転送装置１５６は、無線ＬＡＮ中継インターフェース１６０を具備している。前記筺体１５４,１５８には、図１５に示す筺体１３４,１３６と同様に、内部の各装置を冷却するためのファンが内蔵され、筺体１３４，１３６内の熱気は筺体１３４，１３６に設けられた通気口から外部に排出されるように構成されている。
【００５５】
通気口は、気体を通すが液体を通さないゴアテックス材からなる通気性防水材により構成され、しかも筐体１５０，１５２の接合部はシール材（図示省略）により密閉され、全体が防水構造となっている。前記ネットワークカメラ装置２２によって撮影された、動画、静止画は、音声とともに、インターネット網４を通して本システムのユーザーの情報端末に配信される。前記筐体１５４に格納された携帯端末インターフェース８は、図２に示すように、複数の通信端末処理部３１，３２，３３，３４，３５，３６を備えている。
【００５６】
主制御装置９は、携帯端末インターフェース８からデータを通信制御インターフェース４４を通して受信し、図３に示す、ＭＭ（メモリーモジュール）５３に記録されている、ＤＨＣＰサーバ設定部５４、ポート開放設定部５５、ＤＭＺホスト設定部５６、ダイナミックＤＮＳ設定部５７，ＬＡＮ設定部５８の各設定部の設定情報をＣＰＵ５２で処理し、通信インターフェース５９にデータを送るように構成されている。
主制御装置９のＭＭ５３には、インターネット接続及び画像配信に必要な各種設定を外部情報端末により行うための設定用プログラムが格納され、主制御装置９の各種の設定は、無線ＬＡＮインターフェース１２を通して、外部情報端末であるノートＰＣを用いて行うことができるように構成されている。
ノートＰＣは、図４に示すように、通信インターフェース６１を通し、且つ、制御装置９、携帯端末インターフェース８、携帯端末基地局３を通して、インターネット網４とも接続可能となる。
【００５７】
本実施形態において、カメラ装置２２は、図８に示すように、撮影情報を出力するカメラ１０２、ＬＡＮインターフェース１０１、ＣＰＵ１０３、ＭＭ１０４，外部メモリー１０５、ダイナミックＤＮＳ処理部１０６、パン・チルト・ズーム設定部１０７、動体検知設定部１０８、オーディオインターフェース１０９とから構成され、これらは、データバスを介して、図示の結く接続している。オーディオインターフェース１０９には、マイクロフォン２４とスピーカ２５が接続している。カメラ１０２で撮影された動画、静止画は、ダイナミックＤＮＳ処理部１０６、パン・チルト・ズーム設定部１０７の設定情報及びＭＭ１０４で予め設定された設定情報を元に処理される。設定情報によっては、外部メモリ１０５での記録も開始される。また、動体検知設置部１０８において、静止画の画面の差分で、閲覧中の閲覧ソフトに警告や、予め設定されたメールアドレスへのメール配信も可能である。また、オーディオインターフェース１０９を利用することにより、閲覧者への送話及び閲覧者からの受話を行うことも可能である。
【００５８】
これらの設定は、ＭＭ１０４に格納された設定用プログラムにより、無線ＬＡＮインターフェース１２を通して、外部情報端末であるノートＰＣを用いて行われる。動画若しくは、静止画の配信は、携帯端末２、デスクトップＰＣ５、ノートＰＣ６で可能である。これらの配信データは、図８に示す、ＬＡＮインターフェース１０１に送られ、この配信データは、予めの設定されたアドレスに対して、無線ＬＡＮ子機インターフェース１６２、無線転送装置１５６、無線ＬＡＮインターフェース１２、携帯端末インターフェース８、携帯端末基地局３を介して、インターネット網４を通して、接続し、データが配信される。
上記実施形態のシステムは、筐体１５２であるシステムカメラの一端に取り付けられたネットワークカメラ装置２２と無線ＬＡＮ子機インターフェース１５８と、一箇所若しくは複数の無線転送装置１５６の無線ＬＡＮ中継インターフェース１６０、並びにシステム制御機１５４の筐体１５０に含まれる、携帯端末インターフェース８、主制御装置９、無線ＬＡＮ インターフェース１２を具備し、無線転送装置１５６を経由しながら前記のネットワークカメラ２２によって撮影された動画、静止画、音声をインターネット網４を通して配信することを特徴とする。
【００５９】
本実施形態において、システムは、携帯端末インターフェース８により各携帯端末会社（キャリア）の電波を受信し信号強度判定ユニット４３により最も転送スピードの早い携帯端末３１〜３６及び、処理部３７〜４２を判定し選択し、通信制御インターフェース４４にデータを送る。データを受信した主制御装置９は、通信制御インターフェース５１でデータを受信し、ＤＨＣＰサーバ設定部５４、ポート開放設定部５５、ＤＭＺホスト設定部５６、ダイナミックＤＮＳ設定部５７、ＬＡＮ設定部５８であらかじめ設定された設定情報に従って通信制御インターフェース５１並びに通信インターフェース５９にデータを送る。
【００６０】
設定に従い、無線ＬＡＮ  インターフェース１０で通信周波数の設定や暗号方法の設定を行い、通信準備を行う。無線ＬＡＮ  インターフェース１０は、無線ＬＡＮ中継インターフェース２３を一箇所若しくは複数箇所中継しシステムカメラ２５の無線ＬＡＮ子機２６と接続を行なう。なお、無線ＬＡＮ中継インターフェース２３は無指向性若しくは指向性の一若しくは複数のアンテナを具備し到達距離や転送スピードの確保を行なっている。カメラ装置１９は各種設定に従い、動画、静止画をインターネット網４を介して、特定のアドレスに配信を行う。
【符号の説明】
【００６１】
１    携帯端末を利用したネットワークカメラシステムを内蔵した筐体
２    携帯端末
３    携帯端末基地局
４    インターネット網
５    ディスクトップＰＣ
６    ノートＰＣ
７    有線用モデム
８    携帯端末インターフェース
９    主制御装置
１０    給電制御装置
１１    ノートＰＣ
１２    無線ＬＡＮ インターフェース
１３    有線ＬＡＮ インターフェース
１５    ノートＰＣ
１６    ＧＰＳユニット
１７    加速度ユニット
１８    温度・湿度計ユニット
１９    気圧計ユニット
２０    副制御装置
２１    電話、ＦＡＸ変換装置
２２    カメラ装置
２３    ネットラジオ装置
２５    マイクロフォン
２５    スピーカ
３１，３２，３３，３４，３５，３６  端末装置
３７    処理部
３８    処理部
３９    処理部
４０    処理部
４１    処理部
４２    処理部
４３    信号強度判別装置
４４,５１,５９,６１,７１    通信制御インターフェース
５２,８２,９２,１０３    ＣＰＵ
５３,８３,９３,１０４    ＭＭ(メモリーモジュール)
５４    ＤＨＣＰサーバ設定部
５５    ポート開放設定部
５６    ＤＭＺホスト設定部
５７  ダイナミックＤＮＳ設定部
５８    ＬＡＮ設定部
６２    送受信装置
６３    送受信装置
６４    暗号化装置  wep64/128
６５    暗号化装置  wpa-psk
６６    暗号化装置  wpa2-psk
７２    スイッチングハブ
８１,９１,１０１    ＬＡＮ インターフェース
８４,９４    記憶装置
８５,８６,８７,８８    通信インターフェース
９５    電話変換処理部
９６    ＦＡＸ変換処理部
１０２    カメラ
１０５    外部メモリー
１０６    ダイナミックDNS処理部
１０７    パン・チルト・ズーム設定部
１０８    動体検知設定部
１０９    オーディオインターフェース
１１１,１１２,１１３,１１４,１２７,１２８    接続端子
１１５    電圧及び交直流調整ユニット
１１６,１１７,１１８,１２５,１２６    電圧調整ユニット
１１９,１２０,１２１,１２２    逆流防止ユニット
１２３    電圧入力調整ユニット
１２４    バッテリー
１３０    取り付け及び防護用フック
１３１    通気口
１３２    ファン
１３３    システム親機
１３４    筺体
１３６    筺体
１３７    システム子機
１３８    電力線搬送装置
１４０    電力線搬送装置
１４２    コンセント
１４４    コンセント
１４６    プラグ
１４８    プラグ
１５０    筺体
１５２    筺体
１５４    システム制御機
１５６    無線転送装置
１５８    システムカメラ
１６０    無線ＬＡＮ中継インターフェース
１６２    無線ＬＡＮ子機
１６４    アンテナ
１６６    アンテナ
１６８    電源コンセント
１７０    電源コンセント
１７２    電源コンセント
１７４    プラグ
１７６    プラグ
１７８    プラグ
【図１】
2011035890.tif 000003
【図２】
2011035890.tif 000004
【図３】
2011035890.tif 000005
【図４】
2011035890.tif 000006
【図５】
2011035890.tif 000007
【図６】
2011035890.tif 000008
【図７】
2011035890.tif 000009
【図８】
2011035890.tif 000010
【図９】
2011035890.tif 000011
【図１０】
2011035890.tif 000012
【図１１】
2011035890.tif 000013
【図１２】
2011035890.tif 000014
【図１３】
2011035890.tif 000015
【図１４】
2011035890.tif 000016
【図１５】
2011035890.tif 000017
【図１６】
2011035890.tif 000018
【図１７】
2011035890.tif 000019